(57)【特許請求の範囲】
【請求項１】
被梱包機器を支持載置させる２つの支持部材と、各支持部材を両側部に配置固定するもので底板の各辺から外側板、幅板、該被梱包機器の該支持部材の天板に接当する面と隣り合う面に接当させる内接板を順次延設したトレーとによって構成した段ボール製の台座において、該支持部材の該天板に面すると共に該天板を囲う位置の該内接板の少なくとも一部の内面側に、該内接板に対しほぼ垂直で直線的に該支持部材の一部に係合するもので、該トレーの一の対向位置の各外側板の両側から延設し他の対向位置の各外側板の内面側に配される複数の折返片の内の少なくとも一の折返片を、ほぼ直角に折曲させることによって形成した支持片を設けたことを特徴とする梱包用台座。
【請求項２】
支持部材を構成するもので天板とトレーの底板との間にほぼ垂直に介在させる部材の一部を該天板に係合させた状態で該天板から突出させて形成した支持片と組み合わせる請求項１記載の梱包用台座。
【請求項３】
支持片は、内接板の内面側に面する面を上端側が短いテーパー状に形成したものである請求項１又は２記載の梱包用台座。
【発明の詳細な説明】
【０００１】
【発明の属する技術分野】
本発明は、ガス機器や電気機器などを梱包する場合にこれらを支持載置させる梱包用台座の改良に関するものである。
【０００２】
【従来の技術】
一般的に電気機器やガス機器などの被梱包機器を梱包する場合においては、これらが段ボール箱の内部で動かないように、且つ落下や振動による衝撃、外部からの衝撃などから保護することを目的として種々の緩衝材と共に段ボール箱に収納して、輸送時や保管時等における機器の保護が図られてる。比較的重量がある被梱包機器の場合には、通常機器本体を台座に支持載置させ、上部に別の緩衝材を設け段ボール箱を被せて梱包する方法が採られている。
【０００３】
従来の梱包用台座としては、上部が開口した段ボール製の箱体の内部に適宜形状に成型した発泡スチロールなどの発泡プラスチックを配置した構造のものが広く利用されている。発泡プラスチックは、機器を保護するための緩衝機能に優れた材料であり、しかも容易に各種機器の形状にあわせて成型することができ、梱包材への収納効率を高くできる利点がある。
【０００４】
【発明が解決しようとする課題】
しかしながら、発泡プラスチックはその材質自体極めて優れた特性を有するものの、近時梱包用緩衝材として使用した後の処理の点で種々の問題点を含んでいる。例えば、回収ルートが未整備のため、家庭ゴミとして廃棄され大きな社会問題となっている。これに伴い回収時に取り扱いに手間がかかり、回収費が高くなる。また、焼却廃棄する場合には高エネルギーであることから、焼却炉の整備が必要となる点である。
【０００５】
この他、発泡プラスチック製の台座は、極めて嵩高くなり輸送効率が低く、輸送費が高くなると共に保管スペースに広い場所を必要とする欠点も有していた。このようなことから、本業界においては、発泡プラスチックに代替するものとして、緩衝機能はもとより処理が簡単で組み立てが容易な段ボール製の梱包用台座が広く要望されていた。
【０００６】
【課題を解決するための手段】
そこで本発明者は上記問題に鑑み鋭意研究の結果、本発明を成し得たものであって、その特徴とするところは、被梱包機器を支持載置させる２つの支持部材と、各支持部材を両側部に配置固定するもので底板の各辺から外側板、幅板、該被梱包機器の該支持部材の天板に接当する面と隣り合う面に接当させる内接板を順次延設したトレーとによって構成した段ボール製の台座において、該支持部材の該天板に面すると共に該天板を囲う位置の該内接板の少なくとも一部の内面側に、該内接板に対しほぼ垂直で直線的に該支持部材の一部に係合する支持片を設けたことにある。
【０００７】
ここで、本明細書中でいう「支持部材」とは、被梱包機器を支持載置させる段ボール製部材をいう。被梱包機器としては、上述した電気機器やガス機器などの装置だけでなく、これらの部品や各種素材なども含むものとする。本発明においては、この支持部材を２つ用いてこれらの上に被梱包機器を載置させるようにする。このため、支持部材には被梱包機器の重量が全てかかり、高い強度に形成する必要があることから、段ボール材を断面矩形状に折曲して箱体状に形成することにより、段ボール材を被梱包機器に対して垂直に接当させることで強度を高めている。従って、支持部材の構造としては、段ボール材の少なくとも一部が被梱包機器に対して垂直となるように配した構造のものであればどのようなものでもよく、一枚の段ボール材を折曲して形成する構造の他、複数組み合わせて形成する構造のものでもよい。
【０００８】
「トレー」とは、支持部材を両側部に配置固定し、被梱包機器の該支持部材に接当する面と隣り合う面に接当させる内接板を備えたものをいう。このトレーは底板の各辺から順次外側板、幅板、該内接板を延設した構造のもので、該内接板の一部の先端から延設した掛止片を各支持部材の天板に係合させて固定する。通常、被梱包機器の底面を各支持部材の天板に接当させて載置し、該被梱包機器の周囲の４面をトレーの内接板に接当させて支持する。
【０００９】
「支持片」とは、支持部材の天板に面すると共に該天板を囲う位置に配されたトレーの内接板の少なくとも一部の内面側に設けられるもので、該内接板にほぼ直角に対向すると共に、その下方に位置する支持部材の一部に連続的に係合する部材をいう。つまり、支持部材の天板の被梱包機器を載置する部分に面した位置の内接板の内面側にこの支持板を設けることで、被梱包機器に接当する部分の強度を高めるためのものである。少なくとも一部の内面側に設けるとは、本発明に係る梱包用台座全体で一つの支持片を１ヶ所に設けるだけでもよいということである。つまり、本発明に係る梱包用台座の基本的構造は、２つの支持部材とこれらを両側に配置固定するトレーとによって構成したものであることから、１つの支持部材の周辺構造は従来の構造のものとしてもよく、もう１つの支持部材の周辺の一部に本発明でいうところの支持片を設ければよいからである。
【００１０】
トレーの被梱包機器に接当する部分は、幅板や内接板の先端に延設した支持部材の天板に係合させる掛止片などによってある程度の強度を有するものの、幅板の長さ（内接板と外側板との距離）が長い場合や掛止片を設けない場合には、強度が低下し緩衝材として機能しない構造となってしまう。また、強度があっても内接板や外側板に対する幅板の角度が変化する変形が生じやすければ緩衝材として機能しなくなる。これは、特に段ボール材のように板状の部材で構成する緩衝構造において重要な問題となる。従って、支持片を上述した状態に設けることと共に、その状態に保持させるために支持部材の一部に係合させることにより、被梱包機器に接当する部分の強度が高い状態に維持できることになる。
【００１１】
支持片としては、トレーの一の対向位置の各外側板の両側から延設した少なくとも一部の折返片を利用して形成する。折返片は、通常他の対向位置の内面側に配してトレー状に組み立てたときの形態を保持するために設けられるもので、これをほぼ直角に折曲させることで先端面を内接板の内面側にほぼ垂直に対向させる。そして、折曲した部分を支持部材の一部に係合することにより、折曲した状態に保持させる。この場合には、支持部材を固定する機能も有することになる。また、支持片は支持部材を構成する部材の一部を天板から突出させて形成するようにしてもよい。これは、支持部材の箱体を構成する部分の内、天板とトレーの底板との間にほぼ垂直に介在させる部材の一部を該天板に穿設された孔や切欠から突出させることによって形成するものである。
【００１２】
支持片は、内接板の内面側に面する面を上端側が短いテーパーに形成し、これに対応して内接板を上端側が広くなる傾斜面にすることにより、被梱包機器を本発明に係る台座に装填しやすくするようにしてもよい。このような構造にすると梱包時の作業効率が向上し、ハンドリング装置などを利用する場合にも極めて有効となる。
【００１３】
【発明の実施の形態】
以下、本発明を図面に示す実施の形態に基づいて詳細に説明する。
【００１４】
図１は、本発明に係る梱包用台座１の実施の形態の一例を示すもので、電気機器やガス機器などを梱包するときの台座であって、２つの支持部材２と、これらを両側部に配置固定するトレー３とによって構成した段ボール製のものである。支持部材２は被梱包機器Ａを支持載置させるもので、その天板２１の両側の４ヶ所から支持片４を突出させている。この支持片４は、支持部材２を構成するもので天板２１とトレー３の底板３１との間に垂直に介在させる部材の一部を延長させたものである。
【００１５】
トレー３は、底板３１の各辺から外側板３２、幅板３３、内接板３４を順次延設した構造のもので、内接板３４の先端に支持部材２の天板２１の掛止孔２２に係合させる掛止片３５、一の対向位置の各外側板３２の両側から折返片３６を延設している。折返片３６は、他の対向位置の各外側板３２の内面側に折り込むもので、本例においては一方の折返片３６をほぼ直角に折曲し、折曲した部分を支持片４とすると共に、支持部材２の天板２１に係合させる構造としている。これら支持片４は、内接板３４の内面側に接当させることによって、被梱包機器Ａが接当する部分の水平方向の強度を高めるものである。また、各支持片４は内接板３４に接当する面を上端側が狭いテーパー状にすると共に、各内接板３４もこれらに沿って上端側が広くなるように傾斜面にしている。
【００１６】
この梱包用台座１を構成する各部材のブランクシートを図２（ａ）乃至（ｅ）に示す。同図（ａ）はトレー３のブランクシートであり、折返片３６を直角に折曲することによって形成される支持片４を２重に折り重ねて形成する構造としている。支持片４は、支持部材２の天板２１に面し該天板２１を囲う位置の３つの内接板３４の内面側に少なくとも１つずつ設けるようにしてもよいが、幅板３３の長さが短い場合（図の左側の状態）には、折返片３６が介在することもあって必ずしも設けなくとも実質的に問題はない。ただ、本例においては支持片４に代えて補強片３７を設けている。補強片３７は、内接板３４の先端から掛止片３５と共に延設したもので、基部に設けられた折罫で折曲させて先端を折返片３６に接当させて支持するものである。
【００１７】
同図（ｂ）はコの字状に折曲して図の上下端部に支持片４を２つずつ形成させる部材であり、立設する部分から支持片４まで２重に折り重ねる構造である。これを同図（ｃ）の該支持片４を係合させる係止孔２３を設けた天板２１と、その上下夫々に断面矩形状の筒体を形成する部材に組み合わせて、一方の支持部材２が構成される。同図（ｄ）（ｅ）は他方の支持部材２を構成するもので、基本的構造は同図（ｂ）（ｃ）のものと同様であるが、同図（ｅ）の天板２１には折返片３６で形成した支持片４を係合するための切欠２４を設けている。
【００１８】
この梱包用台座１の使用状態を図３に示す。これは、被梱包機器Ａを梱包する場合にこれを支持載置させるためのもので、図に示すように２つの支持部材２の天板２１上に載置した状態で、その周囲にトレー３の内接板３４を接当させることで支持固定する。本例では、被梱包機器Ａの脚５の外方の底面部分を支持部材２に載置させているが、該脚５を挿通させる孔を天板２１に設けて該脚５の基部部分を載置させる構造としてもよい。また、本例に示す被梱包機器Ａのように突出部６が一側面から突き出ている場合には、これがトレー３の一部と干渉しないように幅板３３と内接板３４の一部を切り欠いて開口部３８を形成している。突出部６のように本体の一部から突出したものが存在すると、必然的にトレー３の幅板３３の長さが長くなることから、この部分に支持片４を配することで強度的に極めて効果的となる。このようにして、被梱包機器Ａを梱包用台座１に支持載置させた状態で、該被梱包機器Ａの周囲を適宜緩衝材で保護して、上方から段ボール製のカバー７を被せ、テープ巻きして梱包する。
【００１９】
図４は支持部材２の実施の形態の他の例を示すもので、一枚の段ボール材を折曲して形成するものである。これは、天板２１の対向位置の各辺から矩形状の筒体を形成する部材を延設し、これらの両端部からさらに支持片４を延設した構造である。また、図５は支持部材２の実施の形態のさらに他の例を示すもので、支持部材２の３辺に支持片４を配するようにしたものである。この支持部材４は、前述した実施例のものにさらにコの字状に折曲して一端部に支持片４を２つ形成した部材を組み合わせるものである。
【００２０】
【発明の効果】
以上のように本発明に係る段ボール製緩衝体は、被梱包機器を支持載置させる２つの支持部材と、各支持部材を両側部に配置固定するもので底板の各辺から外側板、幅板、該被梱包機器の該支持部材の天板に接当する面と隣り合う面に接当させる内接板を順次延設したトレーとによって構成した段ボール製の台座において、該支持部材の該天板に面すると共に該天板を囲う位置の該内接板の少なくとも一部の内面側に、該内接板に対しほぼ垂直で直線的に該支持部材の一部に係合する支持片を設けたことにより、被梱包機器の水平方向の支持強度を高い状態で確実に維持することが可能となる。
【００２１】
また、被梱包機器を台座に装填しやすくするため、トレーの内接板を上端側が広くなるように傾斜させた場合には、その下端部にのみ被梱包機器の周囲の面が接当し幅板が強度の面で寄与しなくなっても、本発明の特徴である支持片を設けることによって、内接板と幅板の折曲部分の変形を防止し、且つ所定の強度を保持させることが可能となる。さらに、本発明に係る梱包用台座はトレーの内接板の内面側に支持片を設ける構造としているため、支持部材をトレーに組み付ける際に該支持片がガイドとなり、組み立て時の作業効率を向上させる効果がある。そして、本発明に係る梱包用台座は、その全てを段ボールで構成していることから、ブランクシートの状態で保管や輸送でき、これらに伴うコストを大幅に低減することができる。しかも、段ボールは使用後の処理に何等問題がなく、環境面でも極めて優れた効果を有するものである。
【図面の簡単な説明】
【図１】本発明に係る梱包用台座の実施の形態の一例を示す組み立て状態の斜視図である。
【図２】（ａ）乃至（ｅ）は図１に示した梱包用台座を構成する部材のブランクシートを示すもので、（ａ）はトレーの平面図、（ｂ）（ｃ）及び（ｄ）（ｅ）は夫々支持部材を構成する部材の平面図である。
【図３】図１に示した梱包用台座の使用状態の一例を示す断面図である。
【図４】支持部材の実施の形態の他の例を示す斜視図である。
【図５】支持部材の実施の形態のさらに他の例を示す分解斜視図である。
【符号の説明】
１  梱包用台座
２  支持部材
２１  天板                ２２  掛止孔
２３  係止孔              ２４  切欠
３  トレー
３１  底板                ３２  外側板
３３  幅板                ３４  内接板
３５  掛止片              ３６  折返片
３７  補強片              ３８  開口部
４  支持片
５  脚
６  突出部
７  カバー
Ａ  被梱包機器
【図１】
0003783179.tif 000002
【図２】
0003783179.tif 000003
【図３】
0003783179.tif 000004
【図４】
0003783179.tif 000005
【図５】
0003783179.tif 000006